(57)【要約】【課題】セカンダリセルのコンポーネントキャリアが追加される際に、セカンダリセルのコンポーネントキャリアを下りリンク通信又は上りリンク通信のいずれか一方に設定した通信を実現することを目的とする。【解決手段】キャリアアグリゲーションを適用して通信する移動局であって、セカンダリセルのコンポーネントキャリアが追加される際に、セカンダリセルのコンポーネントキャリアが下りリンク通信又は上りリンク通信のいずれか一方に設定されることを示すメッセージを受信する受信部と、受信したメッセージに従って、セカンダリセルのコンポーネントキャリアを設定するコンポーネントキャリア設定部とを有する。【選択図】図４
2015149684.tif 000002
【特許請求の範囲】
【請求項１】
キャリアアグリゲーションを適用して通信する移動局であって、
セカンダリセルのコンポーネントキャリアが追加される際に、セカンダリセルのコンポーネントキャリアが下りリンク通信又は上りリンク通信のいずれか一方に設定されることを示すメッセージを受信する受信部と、
受信したメッセージに従って、セカンダリセルのコンポーネントキャリアを設定するコンポーネントキャリア設定部と、
を有する移動局。
【請求項２】
前記受信部で受信したメッセージ内の所定の情報項目が設定されていない場合、前記コンポーネントキャリア設定部は、セカンダリセルのコンポーネントキャリアを下りリンク通信又は上りリンク通信のいずれか一方に設定して通信する、請求項１に記載の移動局。
【請求項３】
当該移動局が下りリンク通信又は上りリンク通信のいずれか一方の通信に対応しているか否かを示す移動機能力を通知する移動機能力通知部を更に有する、請求項１又は２に記載の移動局。
【請求項４】
前記移動機能力通知部は、前記移動局が対応している周波数帯域毎の移動機能力として、又は移動局が対応している全周波数帯域の移動機能力として、移動機能力を通知する、請求項３に記載の移動局。
【請求項５】
キャリアアグリゲーションを適用して通信する基地局であって、
セカンダリセルのコンポーネントキャリアを追加し、セカンダリセルのコンポーネントキャリアが下りリンク通信又は上りリンク通信のいずれか一方に設定されることを示すメッセージを生成するコンポーネントキャリア設定部と、
生成したメッセージを移動局に送信する送信部と、
を有する基地局。
【請求項６】
当該移動局が下りリンク通信又は上りリンク通信のいずれか一方の通信に対応しているか否かを示す移動機能力を管理する移動機能力管理部を更に有し、
前記コンポーネントキャリア設定部は、管理している移動機能力に基づいてメッセージを生成する、請求項５に記載の基地局。
【請求項７】
キャリアアグリゲーションを適用して通信する移動局における通信方法であって、
セカンダリセルのコンポーネントキャリアが追加される際に、セカンダリセルのコンポーネントキャリアが下りリンク通信又は上りリンク通信のいずれか一方に設定されることを示すメッセージを受信するステップと、
受信したメッセージに従って、セカンダリセルのコンポーネントキャリアを設定するステップと、
を有する通信方法。
【請求項８】
キャリアアグリゲーションを適用して通信する基地局における通信方法であって、
セカンダリセルのコンポーネントキャリアを追加し、セカンダリセルのコンポーネントキャリアが下りリンク通信又は上りリンク通信のいずれか一方に設定されることを示すメッセージを生成するステップと、
生成したメッセージを移動局に送信するステップと、
を有する通信方法。
【発明の詳細な説明】
【技術分野】
【０００１】
本発明は、移動局、基地局及び通信方法に関する。特に、本発明は、キャリアアグリゲーションを適用して通信する移動局及び基地局に関し、また、これらの移動局及び基地局における通信方法に関する。
【背景技術】
【０００２】
ＬＴＥ（Long Term Evolution）システムでは、周波数分割複信（ＦＤＤ：Frequency Division Duplex）方式と時分割複信（ＴＤＤ：Time Division Duplex）方式との２つの複信方式（Ｄｕｐｌｅｘモード）が規定されている。ＦＤＤ方式では、上りリンク通信と下りリンク通信とが互いに異なる周波数帯で実行され、ＴＤＤ方式では、上りリンク通信と下りリンク通信とが同一の周波数帯において時間で分離される。ＴＤＤ方式では、上りリンク通信／下りリンク通信に割り当てられる時間比率は１：１に限定されず、異なる比率が利用可能である（非特許文献１参照）。
【先行技術文献】
【非特許文献】
【０００３】
【非特許文献１】3GPP TS 36.211 V12.0.0 (2013-12)
【発明の概要】
【発明が解決しようとする課題】
【０００４】
現在のＬＴＥシステムで規定されているＴＤＤ方式では、上りリンク通信／下りリンク通信に割り当てられる時間比率として７種類の時間比率が規定されている。図１に、ＴＤＤ方式のＬＴＥシステムにおいて下りリンク通信及び上りリンク通信に割り当てられるサブフレームを示す。図１に示すように、具体的にどのサブフレームが上りリンク通信／下りリンク通信に割り当てられるかが規定されている（UL-DL configuration 0-6）。
【０００５】
一方、ＬＴＥ−Ａｄｖａｎｃｅｄシステムでは、複数のコンポーネントキャリア（ＣＣ：Component Carrier）を用いて高スループットを実現するキャリアアグリゲーション（ＣＡ：Carrier Aggregation）が検討されている。特に、下りリンクのデータ量が多い場合には、キャリアアグリゲーションで設定されたセカンダリセルのコンポーネントキャリアを下りリンク通信のみに設定することにより、更なる高スループットが実現できることが想定される。
【０００６】
また、上りリンクのデータ量が多い場合には、キャリアアグリゲーションで設定されたセカンダリセルのコンポーネントキャリアを上りリンク通信のみに設定することも考えられる。
【０００７】
更に、ＦＤＤ方式においても、キャリアアグリゲーションで設定されたセカンダリセルのコンポーネントキャリアを下りリンク通信のみ又は上りリンク通信のみに設定することにより、更なる高スループットが実現できることが想定される。
【０００８】
ＴＤＤ方式の場合には図１のサブフレーム構成の中に、全てのサブフレームが下りリンク通信に割り当てられるという時間比率（例えば、UL-DL configuration 7）を新たに規定することも可能であるが、本発明は、セカンダリセルのコンポーネントキャリアが追加される際に、セカンダリセルのコンポーネントキャリアを下りリンク通信又は上りリンク通信のいずれか一方に設定した通信を実現することを目的とする。
【課題を解決するための手段】
【０００９】
本発明の一形態に係る移動局は、
キャリアアグリゲーションを適用して通信する移動局であって、
セカンダリセルのコンポーネントキャリアが追加される際に、セカンダリセルのコンポーネントキャリアが下りリンク通信又は上りリンク通信のいずれか一方に設定されることを示すメッセージを受信する受信部と、
受信したメッセージに従って、セカンダリセルのコンポーネントキャリアを設定するコンポーネントキャリア設定部と、
を有する。
【００１０】
本発明の一形態に係る基地局は、
キャリアアグリゲーションを適用して通信する基地局であって、
セカンダリセルのコンポーネントキャリアを追加し、セカンダリセルのコンポーネントキャリアが下りリンク通信又は上りリンク通信のいずれか一方に設定されることを示すメッセージを生成するコンポーネントキャリア設定部と、
生成したメッセージを移動局に送信する送信部と、
を有する。
【００１１】
本発明の一形態に係る通信方法は、
キャリアアグリゲーションを適用して通信する移動局における通信方法であって、
セカンダリセルのコンポーネントキャリアが追加される際に、セカンダリセルのコンポーネントキャリアが下りリンク通信又は上りリンク通信のいずれか一方に設定されることを示すメッセージを受信するステップと、
受信したメッセージに従って、セカンダリセルのコンポーネントキャリアを設定するステップと、
を有する。
【００１２】
本発明の一形態に係る通信方法は、
キャリアアグリゲーションを適用して通信する基地局における通信方法であって、
セカンダリセルのコンポーネントキャリアを追加し、セカンダリセルのコンポーネントキャリアが下りリンク通信又は上りリンク通信のいずれか一方に設定されることを示すメッセージを生成するステップと、
生成したメッセージを移動局に送信するステップと、
を有する。
【発明の効果】
【００１３】
本発明によれば、セカンダリセルのコンポーネントキャリアが追加される際に、セカンダリセルのコンポーネントキャリアを下りリンク通信又は上りリンク通信のいずれか一方に設定した通信を実現することが可能になる。
【図面の簡単な説明】
【００１４】
【図１】ＴＤＤ方式のＬＴＥシステムにおいて下りリンク通信及び上りリンク通信に割り当てられるサブフレームを示す図
【図２】本発明の実施例による移動局の構成図
【図３】本発明の実施例による基地局の構成図
【図４】本発明の実施例によるコンポーネントキャリア設定方法のシーケンス図
【図５】本発明の実施例による移動局におけるコンポーネントキャリア設定方法のフローチャート
【図６】コンポーネントキャリアを下りリンク通信のみとして使用することを通知するための信号フォーマットの例（その１）
【図７】コンポーネントキャリアを下りリンク通信のみとして使用することを通知するための信号フォーマットの例（その２）
【図８】移動機能力を通知するための信号フォーマットの例（その１）
【図９】移動機能力を通知するための信号フォーマットの例（その２）
【発明を実施するための形態】
【００１５】
本発明の実施例では、基地局（ｅＮＢ：evolved Node B）と移動局（ＵＥ：User Equipment）との間で、キャリアアグリゲーション（ＣＡ）で用いるセカンダリセルのコンポーネントキャリアを下りリンク通信に設定する実施例について説明する。ＣＡでは、移動局との接続性を担保する信頼性の高いプライマリセル（ＰＣｅｌｌ）と、プライマリセルに接続中の移動局に追加的に設定されるセカンダリセル（ＳＣｅｌｌ）とが設定される。また、ＴＤＤ方式では、上りリンク通信と下りリンク通信とが同一の周波数帯において時間で分離され、コンポーネントキャリアにおける上りリンク通信／下りリンク通信に割り当てられる時間比率を設定することが可能である。ＦＤＤ方式では、上りリンク通信と下りリンク通信とが周波数で分離される。
【００１６】
本発明の実施例では、セカンダリセルのコンポーネントキャリアの全てのサブフレームを下りリンク通信に設定する。なお、下りリンク通信に設定されるコンポーネントキャリアは、ＴＤＤ方式のコンポーネントキャリアでもよく、ＦＤＤ方式のコンポーネントキャリアでもよい。このような設定を実現するため、基地局は、セカンダリセルのコンポーネントキャリアを追加し、セカンダリセルのコンポーネントキャリアが下りリンク通信に設定されることを示すメッセージを生成し、移動局に送信する。移動局は、セカンダリセルのコンポーネントキャリアが追加される際に、基地局から送信されたメッセージを受信し、セカンダリセルのコンポーネントキャリアを設定する。
【００１７】
移動局は、プライマリセルの設定時に、当該移動局が下りリンク通信又は上りリンク通信のいずれか一方の通信に対応しているか否かを示す移動機能力を通知してもよい。
【００１８】
なお、以下の実施例では、コンポーネントキャリアを下りリンク通信に設定する場合について説明するが、本発明の実施例は、コンポーネントキャリアを上りリンク通信に設定する場合にも同様に適用可能である。
【００１９】
＜移動局の構成＞
図２に、本発明の実施例による移動局１０の構成図を示す。移動局１０は、下りリンク（ＤＬ）信号受信部１０１と、上りリンク（ＵＬ）信号送信部１０３と、移動機能力通知部１０５と、品質測定部１０７と、コンポーネントキャリア（ＣＣ）設定部１０９と、通信制御部１１１とを有する。
【００２０】
ＤＬ信号受信部１０１は、基地局からの下りリンクの信号を受信する。コンポーネントキャリアの設定に関して、ＤＬ信号受信部１０１は、基地局からセル内の品質測定の設定に関するメッセージ（RRC Connection Reconfiguration）を受信する。また、ＤＬ信号受信部１０１は、基地局からコンポーネントキャリアを下りリンク通信に設定するためのメッセージ（RRC Connection Reconfiguration）を受信する。
【００２１】
ＵＬ信号送信部１０３は、基地局への上りリンクの信号を送信する。コンポーネントキャリアの設定に関して、ＵＬ信号送信部１０３は、移動局１０が下りリンク通信に対応しているか否かを示す移動機能力を通知するための信号（RRC UE Capability Information）を送信する。また、ＵＬ信号送信部１０３は、セル内の品質測定結果（Measurement Report）を送信する。
【００２２】
移動機能力通知部１０５は、ＵＬ信号送信部１０３を介して、移動局１０が下りリンク通信に対応しているか否かを示す移動機能力を通知する。移動機能力は、コンポーネントキャリア毎、すなわち、移動局がキャリアアグリゲーションで利用可能な周波数帯域毎の移動機能力として通知されてもよく、コンポーネントキャリアに拘わらず移動局がキャリアアグリゲーションで利用可能な全ての周波数帯域に対する移動機能力として通知されてもよい。
【００２３】
品質測定部１０７は、基地局から受信した品質測定の設定に関するメッセージ（RRC Connection Reconfiguration）に従って、所定の信号の受信品質を測定する。所要の品質を満たしたセルの測定結果（Measurement Report）は、ＵＬ信号送信部１０３を介して基地局に報告される。
【００２４】
ＣＣ設定部１０９は、基地局からのメッセージに従って、基地局との間にコンポーネントキャリアを設定する。移動局１０が最初に基地局に接続する場合、ＣＣ設定部１０９は、コンポーネントキャリアの設定に関するメッセージ（RRC Connection Reconfiguration）に従ってプライマリセルのコンポーネントキャリアを設定すると共に、移動局がキャリアアグリゲーションで利用可能なコンポーネントキャリアの品質測定の設定を行う。その後、セカンダリセルを追加する場合、ＣＣ設定部１０９は、セカンダリセルのコンポーネントキャリアの設定に関するメッセージ（RRC Connection Reconfiguration）に従ってコンポーネントキャリアを設定する。このときに、基地局からコンポーネントキャリアが下りリンク通信に設定されることを示す設定情報を受信した場合、ＣＣ設定部１０９は、セカンダリセルのコンポーネントキャリアが下りリンク通信に使用されるものとして設定する。なお、ＣＣ設定部１０９は、基地局から受信したメッセージ（RRC Connection Reconfiguration）内の所定の情報項目（例えば、上りリンク通信／下りリンク通信に割り当てられる時間比率を示す情報項目）が設定されていない場合、セカンダリセルのコンポーネントキャリアが下りリンク通信に使用されるものとして設定してもよい。
【００２５】
通信制御部１１１は、ＣＣ設定部１０９における設定に従って、移動局１０の通信を制御する。特に、セカンダリセルのＴＤＤ方式のコンポーネントキャリアが下りリンク通信に使用されるものとして設定された場合、通信制御部１１１は、セカンダリセルにおける全てのサブフレームを下りリンク通信に割り当てる。また、セカンダリセルのＦＤＤ方式のコンポーネントキャリアが下りリンク通信に使用されるものとして設定された場合、通信制御部１１１は、セカンダリセルにおける全ての周波数を下りリンク通信に割り当てる。なお、セカンダリセルで受信したデータに対する送達確認（ＡＣＫ／ＮＡＣＫ）等の上りリンク制御情報は、プライマリセルで送信される。
【００２６】
＜基地局の構成＞
図３に、本発明の実施例による基地局２０の構成図を示す。基地局２０は、上りリンク（ＵＬ）信号受信部２０１と、下りリンク（ＤＬ）信号送信部２０３と、移動機能力管理部２０５と、コンポーネントキャリア（ＣＣ）設定部２０７と、通信制御部２０９とを有する。
【００２７】
ＵＬ信号受信部２０１は、移動局からの上りリンクの信号を受信する。コンポーネントキャリアの設定に関して、ＵＬ信号受信部２０１は、移動局が下りリンク通信に対応しているか否かを示す移動機能力を通知するための信号（RRC UE Capability Information）を受信する。また、ＵＬ信号受信部２０１は、セル内の品質測定結果（Measurement Report）を受信する。
【００２８】
ＤＬ信号送信部２０３は、移動局への下りリンクの信号を送信する。コンポーネントキャリアの設定に関して、ＤＬ信号送信部２０３は、セル内の品質測定の設定に関するメッセージ（RRC Connection Reconfiguration）を移動局に送信する。また、ＤＬ信号送信部２０３は、コンポーネントキャリアを下りリンク通信に設定するためのメッセージ（RRC Connection Reconfiguration）を送信する。
【００２９】
移動機能力管理部２０５は、移動局が下りリンク通信に対応しているか否かを示す移動機能力を管理する。移動機能力は、コンポーネントキャリア毎、すなわち、移動局がキャリアアグリゲーションで利用可能な周波数帯域毎の移動機能力として管理されてもよく、コンポーネントキャリアに拘わらず移動局がキャリアアグリゲーションで利用可能な全ての周波数帯域に対する移動機能力として管理されてもよい。
【００３０】
ＣＣ設定部２０７は、移動局との間にコンポーネントキャリアを設定する。移動局１０が最初に基地局に接続する場合、ＣＣ設定部２０７は、移動局からの接続要求（RRC Connection Request）に対してプライマリセルのコンポーネントキャリアを設定する。例えば、ＣＣ設定部２０７は、コンポーネントキャリアの品質測定に関する設定を行う。また、ＣＣ設定部２０７は、移動局から報告された品質測定結果に基づいて、セカンダリセルのコンポーネントキャリアを設定する。ＣＣ設定部２０７は、移動機能力管理部２０５を参照して移動局が下りリンク通信に対応している場合、セカンダリセルのコンポーネントキャリアを下りリンク通信に設定し、セカンダリセルの設定に関するメッセージ（RRC Connection Reconfiguration）を生成してもよい。
【００３１】
通信制御部２０９は、ＣＣ設定部２０７における設定に従って、基地局２０の通信を制御する。特に、セカンダリセルのＴＤＤ方式のコンポーネントキャリアが下りリンク通信に使用されるものとして設定された場合、通信制御部２０９は、セカンダリセルにおける全てのサブフレームを下りリンク通信に割り当てる。また、セカンダリセルのＦＤＤ方式のコンポーネントキャリアが下りリンク通信に使用されるものとして設定された場合、通信制御部２０９は、セカンダリセルにおける全ての周波数を下りリンク通信に割り当てる。なお、セカンダリセルで送信したデータに対する送達確認（ＡＣＫ／ＮＡＣＫ）等の上りリンク制御情報は、プライマリセルで受信する。
【００３２】
＜移動局及び基地局における通信方法＞
図４に、本発明の実施例によるコンポーネントキャリア設定方法のシーケンス図を示す。
【００３３】
まず、移動局は、基地局に接続するために、接続要求であるRRC Connection Requestを送信する（ステップＳ１０１）。この接続要求に対して、基地局は、接続確立のためのセル設定情報等を含むRRC Connection Setupを送信する（ステップＳ１０３）。
【００３４】
その後、移動局はネットワークへの登録処理（Attach）のために、RRC Connection Setup Completeを送信する（ステップＳ１０５）。基地局は、移動局からの登録処理に対して、Initial UE MessageをＭＭＥ（Mobility Management Entity）に送信する（ステップＳ１０７）。その後、認証・セキュリティ等の処理が行われ（ステップＳ１０９）、ＭＭＥから基地局にInitial Context Setup Requestが送信される（ステップＳ１１１）。
【００３５】
基地局は、移動局に移動機能力を問い合わせるためにRRC UE Capability Enquiryを送信し（ステップＳ１１３）、移動局は、移動機能力を通知するためにRRC UE Capability Informationを送信する（ステップＳ１１５）。このRRC UE Capability Informationにより、移動局が下りリンク通信のみに対応しているか否かが通知される。
【００３６】
基地局は、RRC UE Capability Informationの受信に対して、UE Capability Info IndicationをＭＭＥに送信すると共に（ステップＳ１１７）、Security Mode Commandを移動局に送信する（ステップＳ１１９）。そして、基地局は、移動局の登録処理が受け付けられたことを示すと共に、移動局が対応する周波数帯域のコンポーネントキャリアの設定を行うために、RRC Connection Reconfigurationを移動局に送信する（ステップＳ１２１）。このRRC Connection Reconfigurationにより、セル内の品質測定の設定が通知される。その後、移動局は、Security Mode Completeを送信し（ステップＳ１２３）、プライマリセルのコンポーネントキャリアの設定が完了したことを示すRRC Connection Reconfiguration Completeを送信する（ステップＳ１２５）。そして、基地局からのInitial Context Setup Response及び移動局からのAttach CompleteがＭＭＥに送信され（ステップＳ１２７及びＳ１２９）、移動局がネットワークに登録される。
【００３７】
移動局は、RRC Connection Reconfigurationに従って、所定の信号の受信品質を測定し、所要の品質を満たしたセルの測定結果（Measurement Report）を基地局に報告する（ステップＳ１３１）。
【００３８】
基地局は、報告されたセルをセカンダリセルに設定するために、RRC Connection Reconfigurationを移動局に送信する（ステップＳ１３３）。移動局が下りリンク通信のみに対応している場合、このRRC Connection Reconfigurationにより、セカンダリセルのコンポーネントキャリアを下りリンク通信に設定してもよい。移動局における具体的なコンポーネントキャリア設定方法は、図５を参照して以下に説明する。そして、移動局は、セカンダリセルのコンポーネントキャリアの設定が完了したことを示すRRC Connection Reconfiguration Completeを送信する（ステップＳ１３５）。
【００３９】
図５に、本発明の実施例による移動局におけるコンポーネントキャリア設定方法のフローチャートを示す。
【００４０】
図４を参照して説明したように、移動局は、移動機能力を通知するためにRRC UE Capability Informationを送信し、基地局は、セカンダリセルのコンポーネントキャリアを設定するためにRRC Connection Reconfigurationを送信する。
【００４１】
移動局がこのRRC Connection Reconfigurationを基地局から受信した場合（ステップＳ２０１）、移動局は、セカンダリセルのコンポーネントキャリアがＴＤＤ方式のコンポーネントキャリアであるかＦＤＤ方式のコンポーネントキャリアであるかを判断する（ステップＳ２０３）。例えば、移動局はセカンダリセルの下り中心周波数がＴＤＤ方式のコンポーネントキャリアであるか否かを判断する。
【００４２】
ＴＤＤ方式のコンポーネントキャリアである場合（ステップＳ２０３：Ｙｅｓ）、RRC Connection Reconfigurationによりセカンダリセルのコンポーネントキャリアが下りリンク通信に使用されるものとして設定されているか否かが判断される（ステップＳ２０５）。これは、RRC Connection Reconfiguration内の所定の情報項目によって判断される。下りリンク通信に使用されるものとして設定されている場合（ステップ２０５：Ｙｅｓ）、セカンダリセルにおける全てのサブフレームが下りリンク通信に割り当てられる（ステップＳ２０７）。下りリンク通信に使用されるものとして設定されていない場合（ステップ２０５：Ｎｏ）、上りリンク通信／下りリンク通信に割り当てられる時間比率に従って、セカンダリセルのサブフレームの通信方向が設定される（ステップＳ２０９）。
【００４３】
ＴＤＤ方式のコンポーネントキャリアでない場合（ステップＳ２０３：Ｎｏ）、すなわち、ＦＤＤ方式のコンポーネントキャリアである場合、RRC Connection Reconfigurationによりセカンダリセルのコンポーネントキャリアが下りリンク通信に使用されるものとして設定されているか否かが判断される（ステップＳ２１１）。これは、RRC Connection Reconfiguration内の所定の情報項目によって判断される。下りリンク通信に使用されるものとして設定されている場合（ステップ２１１：Ｙｅｓ）、セカンダリセルにおける全ての周波数が下りリンク通信に割り当てられる（ステップＳ２１３）。下りリンク通信に使用されるものとして設定されていない場合（ステップ２１１：Ｎｏ）、下りの中心周波数で下りリンク通信を行うと共に、RRC Connection Reconfiguration内の所定の情報項目で設定された上りの中心周波数で上りリンク通信を行うＦＤＤ方式の通信が、セカンダリセルに設定される（ステップＳ２１５）。
【００４４】
＜信号フォーマットの例＞
図６及び図７に、コンポーネントキャリアを下りリンク通信のみとして使用することを通知するための信号フォーマットの例を示す。
【００４５】
図６は、セカンダリセルのコンポーネントキャリアを下りリンク通信に設定するために、RRC Connection Reconfigurationメッセージ内に新たなビットを追加して明示的に通知するための例を示している。例えば、RRC Connection Reconfigurationメッセージに含まれるRadioResourceConfigCommon Information Element内に、supplementalDl-r12を追加して、コンポーネントキャリアを下りリンク通信のみとして使用することを通知してもよい。例えば、supplementalDl-r12がTRUEである場合、移動局は、通知されたセカンダリセルのコンポーネントキャリアを下りリンク通信に設定する。ただし、以前にＴＤＤ方式の上りリンク通信／下りリンク通信に割り当てられる時間比率（TDD-Config）が設定されていた場合には、その設定を解放する必要がある。
【００４６】
図７は、コンポーネントキャリアを下りリンク通信に設定するために、RRC Connection Reconfiguration内の既存の情報項目を利用して暗示的に通知するための例を示している。例えば、RRC Connection Reconfigurationメッセージに含まれるRadioResourceConfigCommon Information Element内のTDDSCellには、ＴＤＤ方式の上りリンク通信／下りリンク通信に割り当てれられる時間比率が設定される。例えば、TDDSCellが設定されていない場合、移動局は、通知されたセカンダリセルのコンポーネントキャリアを下りリンク通信に設定する。
【００４７】
図８及び図９に、移動機能力を通知するための信号フォーマットの例を示す。
【００４８】
図８は、移動局がキャリアアグリゲーションで利用可能な周波数帯域毎に移動機能力を通知するための例を示している。RRC UE Capability Informationメッセージに含まれるUE-EUTRA-Capability Information Element内に、supplementalDL-r12を追加して、移動局がキャリアアグリゲーションで利用可能な周波数帯域毎に、下りリンク通信のみの設定が可能であるか否かを通知してもよい。例えば、移動局がキャリアアグリゲーションで３つの周波数帯域（例えば、800MHz帯、1.5GHz帯、2GHz帯）を利用可能である場合、それぞれの周波数帯域について、下りリンク通信のみの設定が可能であるか否かを通知してもよい。
【００４９】
図９は、移動局がキャリアアグリゲーションで利用可能な全ての周波数帯域に対して移動機能力を通知するための例を示している。RRC UE Capability Informationメッセージに含まれるUE-EUTRA-Capability Information Element内に、supplementalDL-r12を追加して、移動局がキャリアアグリゲーションで利用可能な全ての周波数帯域に対して、下りリンク通信のみの設定が可能であるか否かを通知してもよい。例えば、移動局がキャリアアグリゲーションで３つの周波数帯域（例えば、800MHz帯、1.5GHz帯、2GHz帯）を利用可能である場合、３つの周波数帯域の全てについて、下りリンク通信のみの設定が可能であるか否かを通知してもよい。
【００５０】
なお、上記の実施例では、セカンダリセルのコンポーネントキャリアを下りリンク通信に設定する場合について説明したが、セカンダリセルのコンポーネントキャリアを上りリンク通信に設定する場合にも、上記の実施例における下りリンクに関する記載を上りリンクに読み替えることにより適用可能である。
【００５１】
＜本発明の実施例の効果＞
本発明の実施例によれば、セカンダリセルのコンポーネントキャリアが追加される際に、セカンダリセルのコンポーネントキャリアを下りリンク通信又は上りリンク通信のいずれか一方に設定した通信を実現することが可能になる。
【００５２】
例えば下りリンクのデータ量が多い場合には、キャリアアグリゲーションで設定されたセカンダリセルのコンポーネントキャリアを下りリンク通信のみに設定することにより、更なる高スループットが実現できる。
【００５３】
また、このような下りリンク通信又は上りリンク通信のいずれか一方に設定した通信は、図１のサブフレーム構成の中に全てのサブフレームが下りリンク通信に割り当てられるという時間比率を新たに規定する必要なく、セカンダリセルのコンポーネントキャリアが追加される際の信号を使用して実現することができる。
【００５４】
説明の便宜上、本発明の実施例に係る基地局及び移動局は機能的なブロック図を用いて説明しているが、本発明の実施例に係る基地局及び移動局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００５５】
以上、セカンダリセルのコンポーネントキャリアが追加される際に、セカンダリセルのコンポーネントキャリアを下りリンク通信又は上りリンク通信のいずれか一方に設定した通信を実現するための手法について説明したが、本発明は、上記の実施例に限定されることなく、特許請求の範囲内において、種々の変更・応用が可能である。
【符号の説明】
【００５６】
１０    移動局
１０１  下りリンク（ＤＬ）信号受信部
１０３  上りリンク（ＵＬ）信号送信部
１０５  移動機能力通知部
１０７  品質測定部
１０９  コンポーネントキャリア（ＣＣ）設定部
１１１  通信制御部
２０    基地局
２０１  上りリンク（ＵＬ）信号受信部
２０３  下りリンク（ＤＬ）信号送信部
２０５  移動機能力管理部
２０７  コンポーネントキャリア（ＣＣ）設定部
２０９  通信制御部
【図１】
2015149684.tif 000003
【図２】
2015149684.tif 000004
【図３】
2015149684.tif 000005
【図４】
2015149684.tif 000006
【図５】
2015149684.tif 000007
【図６】
2015149684.tif 000008
【図７】
2015149684.tif 000009
【図８】
2015149684.tif 000010
【図９】
2015149684.tif 000011